(57)【要約】【課題】期限が近づいた物品の管理を容易に行えるようにしたラベルプリンタを提供する。【解決手段】ラベルプリンタ１Ａは、期限管理ラベルを発行した食品の物品識別情報及び期限情報が記憶された発行履歴情報を記憶する記憶部６と、記憶部６に記憶された発行履歴情報から、電源投入時等の所定の出力タイミングに対して期限が近い食品の物品識別情報と期限情報を通知する期限通知ラベルを発行する制御部５を備える。【選択図】    図１
2014121842.tif 000002
【特許請求の範囲】
【請求項１】
物品を識別する物品識別情報及び物品を使用する期限情報が少なくとも印刷された期限管理ラベルを発行するラベルプリンタであって、
期限管理ラベルを発行した物品の物品識別情報及び期限情報が少なくとも記憶された発行履歴情報を記憶する記憶手段と、
前記記憶手段に記憶された発行履歴情報から、所定の出力タイミングに対して期限が近い物品の物品識別情報と期限情報を少なくとも通知する期限通知情報を出力する制御手段と
を備えたことを特徴とするラベルプリンタ。
【請求項２】
前記制御手段は、期限通知情報を出力するタイミングが予め設定され、期限通知情報を出力するタイミングに対して、前記記憶手段に記憶された発行履歴情報から、期限情報で特定される期限が近づいた物品について期限通知情報を出力する
ことを特徴とする請求項１に記載のラベルプリンタ。
【請求項３】
前記制御手段は、期限通知情報が印刷された期限通知ラベルを発行する
ことを特徴とする請求項１または請求項２の何れか１項に記載のラベルプリンタ。
【請求項４】
前記制御手段は、１枚の期限通知ラベルに、複数の物品の期限通知情報を印刷する
ことを特徴とする請求項３に記載のラベルプリンタ。
【請求項５】
前記制御手段は、物品を廃棄したことあるいは物品を使用したことを特定する経過情報を、発行履歴情報に記憶する
ことを特徴とする請求項１〜請求項４の何れか１項に記載のラベルプリンタ。
【請求項６】
前記制御手段は、発行履歴情報に記憶された経過情報に基づく通知情報を出力する
ことを特徴とする請求項５に記載のラベルプリンタ。
【発明の詳細な説明】
【技術分野】
【０００１】
本発明は、物品の期限情報等をラベルに印刷して出力するラベルプリンタに関する。
【背景技術】
【０００２】
ラベルプリンタは、例えば、物品の期限情報等をラベルに印刷して発行する用途で用いられる。レストラン等の加工食品を提供する店舗においては、使用する食品の期限である消費期限あるいは賞味期限を管理する必要がある。そこで、期限管理の対象となる食品に、ラベルプリンタで期限情報が印刷されたラベルを貼着しておき、各食品に貼着されたラベルの内容を目視で確認して、期限管理が行われていた（例えば、特許文献１参照）。
【先行技術文献】
【特許文献】
【０００３】
【特許文献１】特開２００６−１８４５２０号公報
【発明の概要】
【発明が解決しようとする課題】
【０００４】
しかし、個々の食品に貼着されたラベルの内容を目視で確認して、期限管理を行うため、管理対象となる食品の数が多くなると、管理に時間が掛かる。また、ラベルの見落とし等により、期限切れの食品、あるいは期限が近づいた食品を見逃す虞があった。期限が近づいた食品を見逃した場合、期限内に消費することができないと、廃棄する必要があり、無駄が生じる。
【０００５】
本発明は、このような課題を解決するためになされたもので、期限が近づいた物品の管理を容易に行えるようにしたラベルプリンタを提供することを目的とする。
【課題を解決するための手段】
【０００６】
上述した課題を解決するため、本発明は、物品を識別する物品識別情報及び物品を使用する期限情報が少なくとも印刷された期限管理ラベルを発行するラベルプリンタであって、期限管理ラベルを発行した物品の物品識別情報及び期限情報が少なくとも記憶された発行履歴情報を記憶する記憶手段と、記憶手段に記憶された発行履歴情報から、所定の出力タイミングに対して期限が近い物品の物品識別情報と期限情報を少なくとも通知する期限通知情報を出力する制御手段とを備えたラベルプリンタである。
【０００７】
本発明のラベルプリンタでは、期限管理ラベルが発行されると、物品の物品識別情報及び期限情報が発行履歴情報として記憶され、発行履歴情報に基づき、予め設定された出力タイミング等で、期限が近い物品を通知する期限通知情報が出力される。
【発明の効果】
【０００８】
本発明のラベルプリンタによれば、期限が近づいた物品について、期限通知情報が出力されるので、期限が近づいた物品の管理を容易に行うことができる。これにより、期限となったこと、あるいは期限が近づいたことを見逃すというミスを低減することができる。
【図面の簡単な説明】
【０００９】
【図１】本実施の形態のラベルプリンタの制御系の機能の一例を示すブロック図である。
【図２】本実施の形態のラベルプリンタの機能の概要を示す説明図である。
【図３】期限管理ラベルの一例を示す説明図である。
【図４】期限通知ラベルの一例を示す説明図である。
【図５】期限管理情報ＤＢの一例を示す説明図である。
【図６】発行履歴情報ＤＢの一例を示す説明図である。
【図７】期限管理ラベルを発行する動作の一例を示すフローチャートである。
【図８】期限通知ラベルを発行する動作の一例を示すフローチャートである。
【図９】廃棄ラベルあるいは使い切りラベルを発行する動作の一例を示すフローチャートである。
【図１０】廃棄ラベルの一例を示す説明図である。
【図１１】使い切りラベルの一例を示す説明図である。
【図１２】廃棄ラベルあるいは使い切りラベルを活用して期限管理ラベルを発行する動作の一例を示すフローチャートである。
【図１３】食品管理システムの機能の一例を示すブロック図である。
【図１４】食品管理システムで使用される発行履歴情報ＤＢの一例を示す説明図である。
【図１５】廃棄管理処理の一例を示すフローチャートである。
【発明を実施するための形態】
【００１０】
以下、図面を参照して本発明のラベルプリンタの実施の形態について説明する。
【００１１】
＜本実施の形態のラベルプリンタの構成例＞
図１は、本実施の形態のラベルプリンタの制御系の機能の一例を示すブロック図、図２は、本実施の形態のラベルプリンタの機能の概要を示す説明図である。
【００１２】
本実施の形態のラベルプリンタ１Ａは、ラベルに印刷を行う印刷部２と、ラベルに印刷される情報等、期限管理の対象となる物品の一例である食品８の期限管理に使用される情報の選択、入力が行われる入力操作部３と、食品８の期限管理に使用される情報が表示される表示部４を備える。
【００１３】
また、ラベルプリンタ１Ａは、食品８に貼着されるラベルである期限管理ラベル１１を作成すると共に、期限が近づいた食品８を通知する期限通知ラベル１２を作成する制御部５を備える。
【００１４】
更に、ラベルプリンタ１Ａは、期限管理ラベル１１の作成で使用される期限管理情報Ｄ１が記憶されると共に、期限通知ラベル１２の作成で使用される発行履歴情報Ｄ２が記憶される記憶部６を備える。
【００１５】
印刷部２は印刷手段の一例で、ラベルに印刷を行うサーマルヘッド等の印刷ヘッドと、ラベルの搬送を行うプラテンローラ等を備える。印刷部２は、長尺状の剥離紙に、剥離紙の延在方向に沿って複数枚のラベルが貼着されたラベル用紙を搬送して、ラベルに印刷を行う。
【００１６】
入力操作部３は入力手段の一例で、文字や数字の入力、及び情報の選択や決定等が行える例えばボタン型の入力装置で構成される。また、入力手段を構成する外部機器として、符号化情報を読み取るコードリーダ３ａを備える。表示部４は表示手段の一例で、例えば液晶ディスプレイで構成される。
【００１７】
制御部５は制御手段の一例で、入力操作部３での操作及び記憶部６に記憶された期限管理情報Ｄ１に基づいて、食品８に貼着される期限管理ラベル１１を作成する。また、記憶部６に記憶された発行履歴情報Ｄ２に基づいて、期限が近づいた食品８を通知する期限通知ラベル１２を作成する。
【００１８】
記憶部６は記憶手段の一例で、期限管理情報Ｄ１が記憶される期限管理情報データベース（ＤＢ）６０が予め作成されている。また、記憶部６は、発行履歴情報Ｄ２が記憶される発行履歴情報データベース（ＤＢ）６１が、期限管理ラベル１１の発行により作成される。
【００１９】
図３は、期限管理ラベルの一例を示す説明図である。期限管理ラベル１１は、食品８を特定する物品識別情報Ｄ２０である食品名７ａと、食品８の入荷日７ｂと、食品８の消費期限、賞味期限等、食品８を使用できる期限を特定する期限情報Ｄ２１である期限日時７ｃが印刷される。
【００２０】
また、期限管理ラベル１１は、期限管理ラベル１１に印刷された情報及び食品名に対応した識別番号等が符合化された二次元コード７ｄが印刷される。食品８の入荷日７ｂは、本例では、計時機能を利用して取得した期限管理ラベル１１の発行日時を使用する。
【００２１】
図４は、期限通知ラベルの一例を示す説明図である。期限通知ラベル１２は、物品識別情報Ｄ２０である食品名７ａと、期限情報Ｄ２１である期限日時７ｅが印刷される。また、期限通知ラベル１２の発行枚数７ｆが印刷される。期限管理ラベル１１に印刷される期限日時７ｃは、本例では年月日と時刻で構成される。また、期限通知ラベル１２に印刷される期限日時７ｅは、本例では時刻で構成される。
【００２２】
図５は、期限管理情報ＤＢの一例を示す説明図である。期限管理情報ＤＢ６０は、物品識別情報Ｄ２０である食品８毎に付与された識別番号７ｇと、食品名７ａと、所定の起算日、起算時刻からの期限を算出する期限算出値７ｈが、食品８毎の期限管理情報Ｄ１として記憶される。
【００２３】
期限管理情報ＤＢ６０は、例えば、半導体メモリやディスク状記憶媒体等、ラベルプリンタ１Ａに着脱可能な記憶媒体から取得して、記憶部６に記憶される。または、無線あるいは有線で接続されたコンピュータから取得して、記憶部６に記憶される。更に、入力操作部３での操作で取得して、記憶部６に記憶される。
【００２４】
図６は、発行履歴情報ＤＢの一例を示す説明図である。発行履歴情報ＤＢ６１は、物品識別情報Ｄ２０である識別番号７ｇと、本例では食品８の入荷日７ｂである期限管理ラベル１１の発行日時７ｉと、期限情報Ｄ２１である期限日時７ｃと、期限管理ラベル１１の発行者を特定する発行者識別番号７ｊが、食品８毎の発行履歴情報Ｄ２として記憶される。発行履歴情報ＤＢ６１は、食品８が廃棄されたか使い切ったかを特定する経過情報７ｋと、食品８の廃棄日７ｌａあるいは使い切り日７ｌｂが記憶されることとしても良い。
【００２５】
発行履歴情報ＤＢ６１は、期限管理ラベル１１が発行されることで更新され、期限管理ラベル１１が発行されることで、期限管理ラベル１１に印刷された食品８を特定する物品識別情報Ｄ２０である識別番号７ｇと、期限管理ラベル１１の発行日時７ｉと、期限管理ラベル１１に印刷された食品８の期限情報Ｄ２１である期限日時７ｃと、期限管理ラベル１１の発行者識別番号７ｊが新たに記憶される。
【００２６】
＜本実施の形態のラベルプリンタの動作例＞
（１）期限管理ラベルの発行動作例
図７は、期限管理ラベルを発行する動作の一例を示すフローチャートで、次に、各図を参照して、期限管理ラベル１１を発行する動作について説明する。
【００２７】
図７のステップＳＡ１で、ラベルの発行モードが選択される。本例では、期限管理ラベル１１を発行するか、期限通知ラベル１２を発行するか、後述する廃棄・使い切りラベルを発行するかが、入力操作部３での所定の操作等で選択される。
【００２８】
図７のステップＳＡ１で、期限管理ラベル１１の発行が選択されると、図７のステップＳＡ２で、期限管理ラベル１１の発行者を特定する発行者情報の入力処理が行われる。ステップＳＡ２では、入力操作部３での数字の入力、あるいは、コードリーダ３ａでの二次元コードの読み取り等により、期限管理ラベル１１の発行者を特定する発行者情報として、発行者識別番号７ｊが入力される。
【００２９】
次に、図７のステップＳＡ３で、期限管理の対象となる食品８を特定する物品識別情報の入力処理が行われる。ステップＳＡ３では、入力操作部３での数字の入力、あるいは、コードリーダ３ａでの二次元コードの読み取り等により、食品８を特定する物品識別情報Ｄ２０として、識別番号７ｇが入力される。
【００３０】
次に、図７のステップＳＡ４で、制御部５は、記憶部６に記憶された期限管理情報ＤＢ６０の検索処理を行う。ステップＳＡ４では、制御部５は、入力操作部３での操作等で入力された食品８の識別番号７ｇに基づいて、記憶部６に記憶された期限管理情報ＤＢ６０から、識別番号７ｇが一致する食品８の期限管理情報Ｄ１を取得し、識別番号７ｇで特定される食品８の食品名７ａと、期限算出値７ｈを取得する。
【００３１】
次に、図７のステップＳＡ５で、制御部５は、期限管理ラベル１１の発行処理を行う。ステップＳＡ５では、制御部５は、期限管理ラベル１１の発行日時を食品８の入荷日時とし、食品８の入荷日時を起算日時として、識別番号７ｇが一致した食品８の期限管理情報Ｄ１の期限算出値７ｈから、期限情報Ｄ２１として期限日時７ｅを算出する。
【００３２】
更に、制御部５は、食品８の識別番号７ｇと、期限管理ラベル１１の発行日時７ｉと、期限管理ラベル１１に印刷された食品８の期限日時７ｃと、期限管理ラベル１１の発行者識別番号７ｊを符合化して、二次元コード７ｄを作成する。
【００３３】
そして、制御部５は、食品８を特定する物品識別情報Ｄ２０である食品名７ａと、期限管理ラベル１１の発行日時７ｉである食品８の入荷日７ｂと、食品８を使用できる期限を特定する期限情報Ｄ２１である期限日時７ｃと、二次元コード７ｄを印刷して、図３に示す期限管理ラベル１１を作成する。
【００３４】
次に、図７のステップＳＡ６で、制御部５は、発行履歴情報Ｄ２の書き込み処理を行う。ステップＳＡ６では、制御部５は、期限管理ラベル１１を発行することで、期限管理ラベル１１に印刷された食品８を特定する物品識別情報Ｄ２０である識別番号７ｇと、期限管理ラベル１１の発行日時７ｉと、期限管理ラベル１１に印刷された食品８の期限情報Ｄ２１である期限日時７ｃと、期限管理ラベル１１の発行者識別番号７ｊを発行履歴情報ＤＢ６１に書き込んで、発行履歴情報ＤＢ６１を更新する。
【００３５】
上述した期限管理ラベル１１を食品８に貼着することで、期限管理の対象となる食品８毎に、期限日時７ｃが視認可能な情報として表示され、期限管理ラベル１１を見ることで、食品８の期限日時７ｃを確認することができる。
【００３６】
なお、上述した期限管理ラベル１１を発行する動作で、期限管理ラベル１１に印刷する情報、及び発行履歴情報Ｄ２として書き込む情報として、冷蔵庫や棚といった食品８の保管場所に関する情報を付加しても良い。
【００３７】
保管場所情報を付加することで、期限切れとなる食品８が置かれている場所を容易に特定できる。また、冷蔵庫等の保管場所に、ラベルプリンタ１Ａに接続されるディスプレイを備え、ディスプレイに期限日時７ｃ等の期限管理ラベル１１の内容を表示することで、例えば期限が近づいた食品８を表示することができる。
【００３８】
また、期限管理ラベル１１の紛失、食品８の長期保管に伴う期限管理ラベル１１の劣化時等に、期限管理ラベル１１を再発行する機能を付加しても良い。ラベルプリンタ１Ａでは、記憶部６に記憶された発行履歴情報ＤＢ６１を検索して、識別番号７ｇで特定される該当する食品８の発行履歴情報Ｄ２を取得することで、過去に発行した内容と同じ期限管理ラベル１１を発行することができる。
【００３９】
ここで、再発行時の日時情報を取得して、発行履歴情報Ｄ２に記憶された期限日時７ｃと比較し、期限が切れている場合等は、再発行処理を行わない等の再発行制限機能を付加することもできる。
【００４０】
更に、入荷予定リストデータを記憶部６に記憶しておき、入荷予定リストデータを参照する機能を付加することで、期限管理ラベル１１を発行して食品８の期限管理を開始する時に、食品８の入荷の過不足を確認することができる。
【００４１】
また、冷凍食品において、期限管理ラベル１１の発行日時７ｉに解凍後の使用開始時刻を付加することで、食品８の使用開始までの時間が確認でき、例えば、レストラン等では、料理の注文に応じて次の食品８の解凍開始時刻を調整することができる。冷凍食品だけでなく、乾物等、戻して使用する食品にも適用可能である。
【００４２】
（２）期限通知ラベルの発行動作例
図８は、期限通知ラベルを発行する動作の一例を示すフローチャートで、次に、各図を参照して、期限通知ラベル１２を発行する動作について説明する。
【００４３】
期限通知ラベル１２の発行処理は、所定の出力タイミング、本例では、ラベルプリンタ１Ａの電源投入時に行われ、ラベルプリンタ１Ａの電源が投入されると、図８のステップＳＢ１で、制御部５は、記憶部６に記憶された発行履歴情報ＤＢ６１の検索処理を行う。
【００４４】
ステップＳＢ１では、制御部５は、記憶部６に記憶された発行履歴情報ＤＢ６１から、期限情報Ｄ２１である期限日時７ｃが、電源投入時の日時情報と比較して所定の関係で近い食品８の有無を検索する。本例では、記憶部６に記憶された発行履歴情報ＤＢ６１から、期限情報Ｄ２１である期限日時７ｃが、電源投入時の日付と同じ期限の食品８を検索し、電源投入当日に期限が切れる食品８の有無を検索する。
【００４５】
次に、図８のステップＳＢ２で、制御部５は、発行履歴情報ＤＢ６１に書き込まれた期限情報Ｄ２１である期限日時７ｃから、期限が近づいた食品８の有無を判断する。
【００４６】
図８のステップＳＢ２で、期限の近い食品８があると判断すると、図８のステップＳＢ３で、制御部５は、期限通知ラベル１２の発行処理を行う。ステップＳＢ３では、発行履歴情報ＤＢ６１に書き込まれた識別番号７ｇで特定される期限が近い食品８の発行履歴情報Ｄ２を取得することで、物品識別情報Ｄ２０である食品名７ａと、期限情報Ｄ２１である期限日時７ｅを印刷して、図４に示す期限通知ラベル１２を作成する。
【００４７】
また、期限が近い食品が１枚のラベルに印刷可能な数より多い場合は、複数枚の期限通知ラベル１２を作成すると共に、期限通知ラベル１２が印刷された枚数を確認できるようにするため、発行枚数７ｆを印刷する。
【００４８】
上述した期限通知ラベル１２を発行することで、期限が切れる食品８の一覧を取得することができ、食品８に貼着された期限管理ラベル１１を１個ずつ確認する作業を行わなくても、期限が切れる食品８を１度に確認することができる。
【００４９】
ここで、１つの食品８で１枚の期限通知ラベル１２を発行しても良く、例えば、期限通知ラベル１２を見て期限を確認した後、該当する食品８に期限通知ラベル１２を貼着するような運用を行うことができる。また、期限通知ラベル１２に印刷する内容である期限通知情報を、ラベルプリンタ１Ａの表示部４で表示しても良い。
【００５０】
また、期限通知ラベル１２の出力タイミングとして、予め設定されたＭ時間毎に、所定のＮ時間以内に期限が切れる食品８の有無を検索して、該当する食品８がある場合は、期限通知ラベル１２を発行するようにしても良い。
【００５１】
これにより、２４時間営業の店舗等、ラベルプリンタ１Ａの電源が切られないような運用であっても、日付変更時刻や設定した時刻に、使用者の操作によらず、自動で期限通知ラベル１２を発行することができ、期限通知ラベル１２が発行されない状態を防ぐことができる。
【００５２】
また、使用者による操作によって、任意の出力タイミングで所定のＮ時間以内に期限が切れる食品８の有無を検索して、該当する食品８がある場合は、期限通知ラベル１２を発行するようにしても良く、直近に期限が切れるような食品８の確認を行うことができる。
【００５３】
更に、所定のタイミング、例えば、店舗の閉店前に期限通知ラベル１２の発行を促す通知をラベルに印刷、あるいは表示部４での表示で行うことで、期限日の前日に食品８を廃棄するような運用が可能である。また、期限通知ラベル１２の発行が行われていないと判断すると、ラベルプリンタ１Ａの電源を切れないようにする等、制限機能を付加しても良い。
【００５４】
また、上述した期限管理ラベル１１の発行時に、期限管理ラベル１１に印刷する情報、及び発行履歴情報Ｄ２として書き込む情報として、食品８の保管場所情報を付加することで、冷蔵庫や棚といった保管場所毎に、期限通知ラベル１２を発行することができる。これにより、保管されている食品８に合わせて、保管場所毎に期限通知ラベル１２を貼着して、期限切れの食品８の確認を容易に行えるようにすることができる。
【００５５】
（３）廃棄ラベル、使い切りラベルの発行動作例
図９は、廃棄ラベルあるいは使い切りラベルを発行する動作の一例を示すフローチャート、図１０は廃棄ラベルの一例を示す説明図、図１１は、使い切りラベルの一例を示す説明図で、次に、各図を参照して、廃棄ラベル１３あるいは使い切りラベル１４を発行する動作について説明する。
【００５６】
図１０に示す廃棄ラベル１３の発行は、食品８を廃棄する時に行われ、図１１に示す使い切りラベル１４の発行は、食品８を使い切る時に行われる。廃棄ラベル１３は、廃棄する食品８を特定する物品識別情報Ｄ２０である食品名７ａと、廃棄日時７ｍと、廃棄ラベル１３に印刷された情報等が符合化された二次元コード７ｎが印刷される。使い切りラベル１４は、使い切った食品８を特定する物品識別情報Ｄ２０である食品名７ａと、使い切り日時７ｐと、使い切りラベル１４に印刷された情報等が符合化された二次元コード７ｑが印刷される。
【００５７】
廃棄ラベル１３あるいは使い切りラベル１４を発行するため、図９のステップＳＣ１で、食品８に貼着された期限管理ラベル１１の内容を読み取る。ステップＳＣ１では、食品８に貼着された期限管理ラベル１１の二次元コード７ｄをコードリーダ３ａで読み取ることで、食品８を特定する物品識別情報Ｄ２０として識別番号７ｇを取得する。また、食品８を使用できる期限を特定する期限情報Ｄ２１として期限日時７ｃを取得する。
【００５８】
次に、図９のステップＳＣ２で、制御部５は、期限管理ラベル１１から読み取った期限情報Ｄ２１である期限日時７ｃと、現在日時を比較して、期限日時７ｃが現在日時を過ぎているか判断する。
【００５９】
図９のステップＳＣ２で、期限日時７ｃが現在日時を過ぎていると判断すると、図９のステップＳＣ３で、制御部５は、廃棄ラベル１３の発行処理を行う。ステップＳＣ３では、廃棄する物品識別情報Ｄ２０である食品名７ａと、廃棄日時７ｍと、廃棄ラベル１３に印刷された情報等が符合化された二次元コード７ｎを印刷して、図１０に示す廃棄ラベル１３を作成する。廃棄ラベル１３に印刷される廃棄日時７ｍは、廃棄ラベル１３の作成時に入力しても良いし、廃棄ラベル１３の発行時の現在日時を廃棄日時７ｍとしても良い。
【００６０】
次に、図９のステップＳＣ４で、制御部５は、発行履歴情報ＤＢ６１の更新処理を行う。ステップＳＣ４では、食品８が廃棄されたことを特定する経過情報７ｋと、食品８の廃棄日７ｌａが、図６に示すように該当する食品８の発行履歴情報Ｄ２に追記される。
【００６１】
図９のステップＳＣ２で、期限日時７ｃが現在日時を過ぎていないと判断すると、図９のステップＳＣ５で、制御部５は、使い切りラベル１４の発行処理を行う。ステップＳＣ５では、使い切った食品８を特定する物品識別情報Ｄ２０ｄである食品名７ａと、使い切り日時７ｐと、使い切りラベル１４に印刷された情報等が符合化された二次元コード７ｑを印刷して、図１１に示す使い切りラベル１４を作成する。使い切りラベル１４に印刷される使い切り日時７ｐは、使い切りラベル１４の作成時に入力しても良いし、使い切りラベル１４の発行時の現在日時を使い切り日時７ｐとしても良い。
【００６２】
次に、図９のステップＳＣ６で、制御部５は、発行履歴情報ＤＢ６１の更新処理を行う。ステップＳＣ６では、食品８を使いきったことを特定する経過情報７ｋと、食品８の使い切り日７ｌｂが、図６に示すように該当する食品８の発行履歴情報Ｄ２に追記される。
【００６３】
（４）廃棄ラベル、使い切りラベルを活用した期限管理ラベルの発行動作例
図１２は、廃棄ラベルあるいは使い切りラベルを活用して期限管理ラベルを発行する動作の一例を示すフローチャートで、次に、各図を参照して、廃棄ラベル１３あるいは使い切りラベル１４を活用して期限管理ラベル１１を発行する動作について説明する。
【００６４】
図１２のステップＳＤ１で、ラベルの発行モードが選択される。本例では、期限管理ラベル１１を発行するか、期限通知ラベル１２を発行するか、廃棄ラベル１３あるいは使い切りラベル１４を発行するかが、入力操作部３での所定の操作等で選択される。
【００６５】
図１２のステップＳＤ１で、期限管理ラベル１１の発行が選択されると、図１２のステップＳＤ２で、期限管理ラベル１１の発行者を特定する発行者情報の入力処理が行われ、発行者情報として発行者識別番号７ｊが入力される。
【００６６】
次に、図１２のステップＳＤ３で、期限管理の対象となる食品８を特定する物品識別情報の入力処理が行われ、物品識別情報Ｄ２０として識別番号７ｇが入力される。
【００６７】
次に、図１２のステップＳＤ４で、制御部５は、記憶部６に記憶された期限管理情報ＤＢ６０の検索処理を行い、識別番号７ｇが一致する食品８の期限管理情報Ｄ１を取得し、識別番号７ｇで特定される食品８の食品名７ａと、期限算出値７ｈを取得する。
【００６８】
次に、図１２のステップＳＤ５で、制御部５は、記憶部６に記憶された発行履歴情報ＤＢ６１の検索処理を行い、期限管理ラベル１１を発行する食品８の発行履歴情報Ｄ２から、食品８を廃棄したこと、あるいは食品８を使いきったことを特定する経過情報７ｋが書き込まれているか判断する。
【００６９】
図１２のステップＳＤ５で、期限管理ラベル１１を発行する食品８について、食品８を廃棄したこと、あるいは食品８を使いきったことを特定する経過情報７ｋが書き込まれていない場合、期限管理ラベル１１を発行する食品８と同じ食品８が存在することが認識できる。
【００７０】
このため、発行履歴情報Ｄ２に経過情報７ｋが書き込まれていないと判断すると、図１２のステップＳＤ６で、制御部５は、発行履歴情報Ｄ２に書き込まれ期限情報Ｄ２１としての期限日時７ｃが、現在日時より後で期限内であれば、表示部４等に、使用中の食品８があることを通知する情報を出力する。使用中の食品８があることを通知する情報は、ラベルに印刷して出力しても良い。
【００７１】
あるいは、図１２のステップＳＤ６で、制御部５は、発行履歴情報Ｄ２に書き込まれ期限情報Ｄ２１としての期限日時７ｃが、現在日時より前であれば、表示部４等に、食品８の廃棄を要求する情報を出力する。食品８の廃棄を要求する情報は、ラベルに印刷して出力しても良い。
【００７２】
図１２のステップＳＤ５で、期限管理ラベル１１を発行する食品８について、食品８を廃棄したこと、あるいは食品８を使いきったことを特定する経過情報７ｋが書き込まれている場合、期限管理ラベル１１を発行する食品８と同じ食品が存在しないことが認識できる。
【００７３】
このため、図１２のステップＳＤ７で、制御部５は、食品８を特定する物品識別情報Ｄ２０である食品名７ａと、期限管理ラベル１１の発行日時７ｉである食品８の入荷日７ｂと、食品８を使用できる期限を特定する期限情報Ｄ２１である期限日時７ｃと、二次元コード７ｄを印刷して、図３に示す期限管理ラベル１１を作成する。
【００７４】
次に、図１２のステップＳＤ８で、制御部５は、発行履歴情報Ｄ２の書き込み処理を行う。ステップＳＤ８では、制御部５は、期限管理ラベル１１を発行することで、期限管理ラベル１１に印刷された食品８を特定する物品識別情報Ｄ２０である識別番号７ｇと、期限管理ラベル１１の発行日時７ｉと、期限管理ラベル１１に印刷された食品８の期限情報Ｄ２１である期限日時７ｃと、期限管理ラベル１１の発行者識別番号７ｊを発行履歴情報ＤＢ６１に書き込んで、発行履歴情報ＤＢ６１を更新する。
【００７５】
上述したように、期限管理ラベル１１を発行する処理では、廃棄ラベル１３あるいは使い切りラベル１４の発行で更新された発行履歴情報Ｄ２に基づいて、期限管理ラベル１１を発行する食品８と同じ食品８の有無を認識して通知できるので、食品８の重複を防ぐことができる。
【００７６】
また、期限管理ラベル１１を発行する食品８について、食品８を廃棄したこと、あるいは食品８を使いきったことを特定する経過情報７ｋが書き込まれておらず、食品８が重複する場合に、期限日時７ｃが前の食品８について発行履歴情報Ｄ２に書き込むことで、期限が後の食品８が先に使用されて期限が前の食品８が残ることを防止できる。更に、使い切りラベル１４を発行して使い切った食品８について、発行履歴情報Ｄ２を削除することで、記憶部６の容量を有効活用することができる。
【００７７】
また、発行履歴情報ＤＢ６１で食品８を廃棄したこと、あるいは食品８を使いきったことを特定する経過情報７ｋを確認することで、例えば、店舗毎での食品８の使用状態の目安が判り、発注量の管理ができる。更に、地域や天候等での食品８の使用状態の目安が判り、市場調査にも使用できる。
【００７８】
また、廃棄ラベル１３の発行時に、食品８の重量や個数を入力あるいは計量して発行履歴情報Ｄ２等に書き込むことで、食品８の使用量を管理することができる・
【００７９】
＜食品管理システムの一例＞
図１３は、食品管理システムの機能の一例を示すブロック図、図１４は、食品管理システムで使用される発行履歴情報ＤＢの一例を示す説明図、図１５は、廃棄管理処理の一例を示すフローチャートで、次に、各図を参照して、実際に食品８を廃棄する時の処理について説明する。
【００８０】
食品管理システム１００は、上述したラベルプリンタ１Ａと、端末装置１０１が接続される。ラベルプリンタ１Ａは、記憶部６に記憶される期限管理情報ＤＢ６０を食品管理システム１００の図示しないサーバから取得する。また、食品管理システム１００は、ラベルプリンタ１Ａの記憶部６に記憶される発行履歴情報ＤＢ６１を取得する。
【００８１】
ラベルプリンタ１Ａでは、食品８の入荷等で期限管理が開始されると、上述したように、期限管理ラベル１１の発行が行われ、期限管理を監視した食品８に関して発行履歴情報Ｄ２が書き込まれて発行履歴情報ＤＢ６１が更新される。期限管理ラベル１１は、該当する食品８に貼着される。また、ラベルプリンタ１Ａでは、電源投入時等に期限が近づいた食品８の有無を判断して、期限通知ラベル１２の発行が行われる。
【００８２】
更に、食品８の期限が切れると、廃棄ラベル１３の発行が行われ、廃棄ラベル１３が発行された食品８に関して発行履歴情報Ｄ２に食品８が廃棄されたことを特定する経過情報７ｋと食品８の廃棄日７ｌａが書き込まれて発行履歴情報ＤＢ６１が更新される。廃棄ラベル１３は、消費期限あるいは賞味期限が切れた該当する食品８に貼着される。
【００８３】
次に、廃棄ラベル１３を使用した廃棄管理処理の一例について説明する。食品８を廃棄する場合、図１５のステップＳＥ１で、食品８の廃棄者を特定する廃棄者情報の入力処理が行われる。ステップＳＥ１では、食品管理システム１００に接続された端末装置１０１での数字の入力、あるいは、コードリーダでの二次元コードの読み取り等により、食品８を廃棄する廃棄者を特定する廃棄者情報として、廃棄者識別番号７ｒが入力される。
【００８４】
次に、図１５のステップＳＥ２で、食品８に貼着された廃棄ラベル１３の内容を読み取る。ステップＳＥ２では、食品８に貼着された廃棄ラベル１３の二次元コード７ｎを、端末装置１０１のコードリーダで読み取ることで、食品８を特定する物品識別情報Ｄ２０として識別番号７ｇを取得する。
【００８５】
次に、図１５のステップＳＥ３で、食品管理システム１００は、ラベルプリンタ１Ａから取得した発行履歴情報ＤＢ６１の更新処理を行う。ステップＳＥ３では、端末装置１０１で入力された廃棄者識別番号７ｒと廃棄日時７ｓが、該当する食品８の発行履歴情報Ｄ２に追記される。
【００８６】
上述したように、食品８の廃棄時に廃棄ラベル１３を使用して、食品管理システム１００に廃棄者識別番号７ｒと廃棄日時７ｓを送信して廃棄処分の実績を通知し、ラベルプリンタ１Ａから取得した発行履歴情報ＤＢ６１の更新を行うことで、食品管理システム１００で、食品８が実際に廃棄されたか否かを確認することができる。これにより、廃棄後の食品８の不正利用を防ぐことができる。また、食品８の運用実績を確認することができ、無駄な発注を抑えることができる。
【００８７】
以上の説明では、物品として食品を例に説明したが、本実施のラベルプリンタ１Ａは、保守の期間が定められた工業製品、あるいは工業製品を構成する部品、使用期限が定められた薬剤等の管理に使用することが可能である。
【産業上の利用可能性】
【００８８】
本発明は、物品の期限管理を行うラベルプリンタに適用される。
【符号の説明】
【００８９】
１Ａ・・・ラベルプリンタ、２・・・印刷部、３・・・入力操作部、４・・・表示部、５・・・制御部、５・・・記憶部
【図１】
2014121842.tif 000003
【図２】
2014121842.tif 000004
【図３】
2014121842.tif 000005
【図４】
2014121842.tif 000006
【図５】
2014121842.tif 000007
【図６】
2014121842.tif 000008
【図７】
2014121842.tif 000009
【図８】
2014121842.tif 000010
【図９】
2014121842.tif 000011
【図１０】
2014121842.tif 000012
【図１１】
2014121842.tif 000013
【図１２】
2014121842.tif 000014
【図１３】
2014121842.tif 000015
【図１４】
2014121842.tif 000016
【図１５】
2014121842.tif 000017